(57)【要約】      （修正有）【課題】装着時の負担を軽減させ、携帯性も向上させることが出来るイヤホンを提供する。【解決手段】２つのイヤホンユニット部と、使用者の肩および首周りの形状に合わせて、前記使用者の首後部に当たる首当て部１０と、前記使用者の左肩に乗せる左肩乗せ部２０と、前記使用者の右肩に乗せる右肩乗せ部２１と、前記使用者の左鎖骨に当たる左鎖骨当て部４０と、前記使用者の右鎖骨に当たる右鎖骨当て部４１を備えた肩乗せ式無線イヤホン１が音楽・音声信号を受信する無線受信装置と、前記無線受信装置を駆動させるバッテリーを備える。【選択図】図１
2015136024.tif 000002
【特許請求の範囲】
【請求項１】
首当て部と左肩乗せ部と、前記首当て部の左端部に前記左肩乗せ部の細部先端を可
動可能に連結する第一連結手段と、前記首当て部と右肩乗せ部と、前記首当て部の右
端部に前記右肩乗せ部の細部先端を可動可能に連結する第二連結手段と、前記左肩乗
せ部と左鎖骨当て部と、前記左肩乗せ部の太部先端に前記左鎖骨当て部の太部先端を
可動可能に連結する第三連結手段と、前記右肩乗せ部と右鎖骨当て部と、前記右肩乗
せ部の太部先端に前記右鎖骨当て部の太部先端を可動可能に連結する第四連結手段を
有しており、前記首当て部、前記左肩乗せ部、前記右肩乗せ部、前記左鎖骨当て部、
前記右鎖骨当て部のいずれかにユニットコード取り出し口を設け、前記ユニットコー
ド取り出し口から左耳用ユニットと接続されたユニットコード及び、右耳用ユニット
と接続されたユニットコードを取り出し、前記左右のユニットコードと接続している
基板に音楽・音声信号を受信する無線受信装置が組み込まれており、前記無線受信装
置を駆動させるバッテリーを備えることを特徴とする、肩乗せ式無線イヤホン。
【請求項２】
前記右鎖骨当て部又は、前記左鎖骨当て部にメイン基板を取り付け、前記メイン基
板内には音声・音楽再生装置からの音楽等の電波を受信する前記無線受信装置が組み
込まれていることを特徴とする、請求項1に記載の肩乗せ式無線イヤホン。
【請求項３】
前記無線受信装置を駆動させるために必要となる前記バッテリーを、前記首当て部
に取り付ける事を特徴とする、請求項１に記載の肩乗せ式無線イヤホン。
【発明の詳細な説明】
【技術分野】
【０００１】
本発明は、使用者の首及び肩で固定をしながら使用する肩乗せ式無線イヤホンに関する。          
【背景技術】
【０００２】
従来、携帯用の音楽・音声再生装置が各種開発されている。この音楽・音声再生装
置は、最も簡単な構成のものの場合には、本体にヘッドホンジャックを備えて、その
ヘッドホンジャックに接続されたヘッドホンやイヤホンで、オーディオの聴取ができ
るようにしてある。    
【０００３】
ここで、このように再生装置本体とヘッドホンやイヤホンとがケーブルで接続され
ていると、使用上邪魔になることがあるので、再生装置から無線信号でヘッドホン装
置に音楽・音声信号を伝送して、再生装置本体とヘッドホンやイヤホンとの間をワイ
ヤレス化したものがある。
【０００４】
この場合、再生装置での再生開始、停止、テープの早送り、巻戻しなどは、再生装
置本体に取付けられたキーの操作で行える他に、ヘッドホンやイヤホンに取付けられ
たキーの操作でも行えるように、ヘッドホンやイヤホン側から再生装置に、これらの
再生動作を制御する制御信号を無線送信するようにして、ヘッドホンやイヤホンとリ
モートコントロール装置が一体化されたものもある。（例えば、特許文献１）
【先行技術文献】
【特許文献】
【０００５】
【特許文献１】特開２０００−３３９７９３（段落０００２〜０００４）
【発明の概要】
【発明が解決しようとする課題】
【０００６】
しかしながら、従来の製品では、ヘッドホンやイヤホン側に信号の受信装置、信号
の増幅装置、これらを駆動させるためのバッテリーが必要となり、通常のヘッドホン
やイヤホンと比較すると重量が増加する。従来の製品では、バッテリー容量により使
用時間が制限されてしまい快適な使用を妨げる問題があり、使用時間を延ばすために
バッテリーを大容量な物にする事で、重量、体積が増加し、ヘッドホンやイヤホンの
大型化、重量化につながり、頭や耳に負担が掛かってしまい快適な使用を妨げる問題
があった。また、大型化してしまう事で、持ち運びが不便になるという問題がある。
【０００７】
本発明は、このような従来の問題を解決しようとするもので、長時間使用出来る大
容量のバッテリーを搭載し、尚且つ使用時の使用者への負担を減らしつつ、可動可能
な連結手段を使用してサイズを小さくすることでコンパクト化し、持ち運び時の負担
を解消した、新規かつ改良された無線イヤホンを提供することにある。
【課題を解決するための手段】
【０００８】
首当て部と左肩乗せ部と、前記首当て部の左端部に前記左肩乗せ部の細部先端を可
動可能に連結する第一連結手段と、前記首当て部と右肩乗せ部と、前記首当て部の右
端部に前記右肩乗せ部の細部先端を可動可能に連結する第二連結手段と、前記左肩乗
せ部と左鎖骨当て部と、前記左肩乗せ部の太部先端に前記左鎖骨当て部の太部先端を
可動可能に連結する第三連結手段と、前記右肩乗せ部と右鎖骨当て部と、前記右肩乗
せ部の太部先端に前記右鎖骨当て部の太部先端を可動可能に連結する第四連結手段を
有しており、前記首当て部、前記左肩乗せ部、前記右肩乗せ部、前記左鎖骨当て部、
前記右鎖骨当て部のいずれかにユニットコード取り出し口を設け、前記ユニットコー
ド取り出し口から左耳用ユニットと接続されたユニットコード及び、右耳用ユニット
と接続されたユニットコードを取り出し、前記左右のユニットコードと接続している
基板に音楽・音声信号を受信する無線受信装置が組み込まれており、前記無線受信装
置を駆動させるバッテリーを備えることを特徴とする、肩乗せ式無線イヤホン
【０００９】
前記右肩当て部内にはメイン基板を取り付け、前記メイン基板内には音声・音楽再
生装置からの音楽等の電波を受信する無線受信装置が組み込まれていることを特徴と
する肩乗せ式無線イヤホン。
【００１０】
前記無線受信装置を駆動させるために必要となる前記バッテリーを、前記首当て部
の内部に取り付ける事を特徴とする肩乗せ式無線イヤホン。
【発明の効果】
【００１１】
本発明によれば、首当て部にバッテリーを組み込む構造にする事で、耳や頭に感じ
ていた負担を両肩に分散する事が出来る。これにより、大容量のバッテリーを組み込
んだ場合に耳や頭で感じていた負担を軽減する事ができ、長時間の使用にストレスを
感じる事無く使用出来るようになる。また、可動可能な連結手段を使用する事でサイ
ズをコンパクト化する事ができ、持ち運びの不便さも解消する事が出来る。
【図面の簡単な説明】
【００１２】
【図１】本発明の肩乗せ式無線イヤホンを可動させる前の状態の斜視図である。
【図２】本発明の肩乗せ式無線イヤホンの勘合構成についての斜視図である。
【図３】本発明の肩乗せ式無線イヤホンを可動させる前の構成についての背面図である。
【図４】本発明の肩乗せ式無線イヤホンを可動させる前の構成についての左側面図で        ある。
【図５】本発明の実施の形態による全体構成の例を示す斜視図である。
【図６】本発明の肩乗せ式無線イヤホンを可動させる前の構成についての底面図である。
【図７】本発明の肩乗せ式無線イヤホンの左右鎖骨当て部をヒンジで可動させた状態の斜視図である。
【図８】本発明の肩乗せ式無線イヤホンの左右鎖骨当て部及び左右肩乗せ部をヒンジで可動させた状態の斜視図である。
【図９】本発明の肩乗せ式無線イヤホン装着時の正面図である。
【図１０】本発明の肩乗せ式無線イヤホン装着時の左側面図である。
【図１１】本発明の肩乗せ式無線イヤホンの収納時の斜視図である。
【発明を実施するための形態】
【００１３】
図１は本発明の肩乗せ式無線イヤホンを可動させる前の状態の斜視図であり、図２
は本発明の肩乗せ式無線イヤホンの勘合構成についての斜視図である。
【００１４】
図1、図２で示すように、本発明の肩乗せ式無線イヤホン1は、本発明を使用時に
使用者の首後部に当たる首当て部10の左端部130に、前記使用者の左肩に乗せる左肩
乗せ部20の細部先端134を可動可能に連結する第一連結手段を第一ヒンジ50とし、
首当て部10の右端部131に前記使用者の右肩に乗せる右肩乗せ部21の細部先端135
を可動可能に連結する第二連結手段を第二ヒンジ51とし、左肩乗せ部20の太部先端
140に前記使用者の左鎖骨に当たる左鎖骨当て部40の細部先端144を可動可能に連結
する第三連結手段を第三ヒンジ52とし、右肩乗せ部21の太部先端141に前記使用者
の右鎖骨に当たる右鎖骨当て部41の太部先端145を可動可能に連結する第四連結手段
である第四ヒンジ53を有している。
【００１５】
首当て部10、左肩乗せ部20、右肩乗せ部21、左鎖骨当て部40、右鎖骨当て部41の
いずれかにユニットコード取り出し口左60及びユニットコード取り出し口右61を設
け、ユニットコード取り出し口左60から左耳用ユニット80と接続されたユニットコ
ード左70を取り出し、ユニットコード取り出し口右61から右耳用ユニット81と接続
されたユニットコード右71を取り出している。
【００１６】
本発明の肩乗せ式無線イヤホン1の首当て部10は、使用者の首後部に当たる箇所を
平面にしており、首当て部の両端が首に回るように角度を設けた構造をしている。
【００１７】
本発明の肩乗せ式無線イヤホン1は、首当て部10の左端部130と左肩乗せ部20の
細部先端134を組み合わせ、首当て部10の左端部130の第一ヒンジ軸通し穴132と左
肩乗せ部20の細部先端134の第一ヒンジ軸通し穴136の穴位置を合わせ、第一ヒンジ
軸30を第一ヒンジ軸通し穴132と第一ヒンジ軸通し穴136に挿入し、首当て部10の
左端部130に左肩乗せ部20の細部先端134を可動可能に連結する第一連結手段である
ヒンジ機能つける。連結箇所を第一ヒンジ50とする。
【００１８】
本発明の肩乗せ式無線イヤホン1は、首当て部10の右端部131と右肩乗せ部21の
細部先端135を組み合わせ、首当て部10の右端部131の第二ヒンジ軸通し穴133と右
肩乗せ部21の細部先端135の第二ヒンジ軸通し穴137の穴位置を合わせ、第二ヒンジ
軸31を第二ヒンジ軸通し穴133と第二ヒンジ軸通し穴137に挿入し、首当て部10の
右端部131に右肩乗せ部21の細部先端135を可動可能に連結する第二連結手段である
ヒンジ機能をつける。連結箇所は第二ヒンジ51とする。
【００１９】
本発明の肩乗せ式無線イヤホン1は、左肩乗せ部20の太部先端140と左鎖骨当て部
40の太部先端144を組み合わせ、左肩乗せ部20の太部先端140の第三ヒンジ軸通し
穴142と左鎖骨当て部40の太部先端144の第三ヒンジ軸通し穴146の穴位置を合わせ、
第三ヒンジ軸32を第三ヒンジ軸通し穴142と第三ヒンジ軸通し穴146に挿入し、左肩
乗せ部20の太部先端140に左鎖骨当て部40の太部先端144を可動可能に連結する第
三連結手段であるヒンジ機能を付ける。連結箇所を第三ヒンジ52とする。
【００２０】
本発明の肩乗せ式無線イヤホン1は、右肩乗せ部21の太部先端141と右鎖骨当て部
41の太部先端145を組み合わせ、右肩乗せ部21の太部先端141の第四ヒンジ軸通し
穴143と右鎖骨当て部41の太部先端145の第四ヒンジ軸通し穴147の穴位置を合わせ、
第四ヒンジ軸33を第四ヒンジ軸通し穴143と第四ヒンジ軸通し穴147に挿入し、右肩
乗せ部21の太部先端141に右鎖骨当て部41の太部先端145を可動可能に連結する第
四連結手段であるヒンジ機能を付ける。連結箇所を第四ヒンジ53とする。
【００２１】
図３は本発明の肩乗せ式無線イヤホンを折り畳む前の構成についての背面図であ
る。
【００２２】
図３で示すように、本発明の肩乗せ式無線イヤホン1は、首当て部10にバッテリー
90を取り付けており、コンセントに挿したアダプターの先端を首当て部10の内部に
取り付けられたUSBジャック100に挿す事で、バッテリー90を充電する事が出来る。
【００２３】
図４は本発明の肩乗せ式イヤホンを折り畳む前の構成についての左側面図である。
【００２４】
図４で示すように、本発明の肩乗せ式無線イヤホン1は、右肩当て部41にメイン基
板101とマイク102を取り付けている。
【００２５】
メイン基板101の中には、無線通信を行うための無線受信装置103が組み込まれて
おり、音楽・音声再生装置150と無線接続を行うことで、曲の視聴や通話を行う事が
出来る。
【００２６】
本発明の肩乗せ式無線イヤホン1は、音楽・音声再生装置150と組み合わせて音楽
等を楽しむ事が出来る。この再生装置150により、音楽や音声等を再生し、音楽等の
信号が電波に変換されて肩乗せ式無線イヤホン1に送られる。肩乗せ式無線イヤホン
では、右肩当て部41に取り付けられているメイン基板101の無線受信装置103に
より電波を受信し、その電波を音楽等のデータを含む電気信号に変換し、電気信号が
左耳用ユニット80、右耳用ユニット81に到達する事で駆動し、音楽等を再生する。
【００２７】
無線受信装置103を駆動させるために、バッテリー90が必要となる。
【００２８】
メイン基板100とマイク102は左鎖骨当て部40に取り付ける事も可能である。
【００２９】
図５は本発明の実施の形態による全体構成の例を示す斜視図である。
【００３０】
図６は本発明の肩乗せ式無線イヤホンを折り畳む前の構成についての底面図であ
る。
【００３１】
図６で示すように、本発明の肩乗せ式無線イヤホン1は、本発明使用時に左鎖骨当
て部40の使用者左手側に取り付けられたボリュームボタン110を有している。ボリュ
ームボタン110は、曲再生中又は通話中のボリュームの調節、曲再生中に長押しする
事で曲送り、曲戻し、更に長押しする事で曲の早送り、曲の巻き戻し機能を有してい
る。
【００３２】
本発明の肩乗せ式無線イヤホン1は、本発明使用時に右鎖骨当て部41の使用者右手
側に取り付けられたマルチファンクションボタン111を有している。マルチファンク
ションボタン111は、電話の応答、曲停止中の曲の再生、曲再生中の曲の停止、長押
しする事で電源のＯＮ/ＯＦＦの機能を有し、電源がＯＮになってから更に長押しする
ことで、オーディオ再生機器や携帯電話等とペアリングを行える機能を有している。
【００３３】
本発明の肩乗せ式無線イヤホン1は、ボリュームボタン110及びユニットコード左
70の基板（図示省略）とUSBジャック100の基板を接続する渡りコード（図示省略）
を通すための首当て部溝120を有している。
【００３４】
本発明の肩乗せ式無線イヤホン1は、ボリュームボタン110及びユニットコード左
70の基板（図示省略）とUSBジャック100の基板を接続する渡りコード（図示省略）
を通すための左肩乗せ部溝121を有している。
【００３５】
本発明の肩乗せ式無線イヤホン1は、メイン基板101とUSBジャック100を接続す
る渡りコード（図示省略）を通すための首当て部溝122を有している。
【００３６】
本発明の肩乗せ式無線イヤホン1は、メイン基板101とUSBジャック100を接続す
る渡りコード（図示省略）を通すための右肩乗せ部溝123を有している。
【００３７】
ボリュームボタン110を右鎖骨当て部41に、マルチファンクションボタンを左鎖骨
当て部に取り付ける事も可能である。
【００３８】
図７は本発明の肩乗せ式無線イヤホンの左右鎖骨当て部をヒンジで可動させた状態
の斜視図である。
【００３９】
図７で示すように、本発明の肩乗せ式無線イヤホン1は、第三ヒンジ52の箇所で左
鎖骨当て部40を左肩乗せ部20の方向に可動可能になっている。
【００４０】
本発明の肩乗せ式無線イヤホン1は、第四ヒンジ53の箇所で右鎖骨当て部41を右
肩乗せ部21の方向に可動可能になっている。
【００４１】
図８は、本発明の肩乗せ式無線イヤホンの左右鎖骨当て部及び左右肩乗せ部をヒン
ジで可動させた状態の斜視図である。
【００４２】
図８で示すように、本発明の肩乗せ式無線イヤホン1は、第一ヒンジ50の箇所で左
肩乗せ部20を首当て部10の方向に可動可能になっている。
【００４３】
本発明の肩乗せ式無線イヤホン1は、第二ヒンジ51の箇所で右肩乗せ部21を首当
て部10の方向に可動可能になっている。
【００４４】
図９は本発明の肩乗せ式無線イヤホン装着時の正面図であり、図１０は本発明の肩
乗せ式無線イヤホン装着時の左側面図である。
【００４５】
図９、図１０で示すように、本発明の肩乗せ式無線イヤホン1は、本発明を使用す
る際に左鎖骨当て部40を使用者の左鎖骨に、右鎖骨当て部41を前記使用者の右鎖骨
に当て、左肩乗せ部20を前記使用者の左肩に乗せ、右肩乗せ部21を前記使用者の右
肩に乗せ、首当て部10を前記使用者の首の後部に当てて前記使用者との装着を行い、
左耳用ユニット80を使用者の左耳に、右耳用ユニット81を使用者の右耳に装着して
使用する。
【００４６】
図１１は、本発明の肩乗せ式無線イヤホンの収納時の写真図である。
【００４７】
本発明の肩乗せ式無線イヤホン1の使用方法の説明を行う。図示の本発明を収納す
る収納ケース280から図８で示すような折り畳まれた状態の肩乗せ式無線イヤホン1
を取り出し、左肩乗せ部20を第一ヒンジ50の箇所で可動させ、右肩乗せ部21を第二
ヒンジ51の箇所で可動させ、肩乗せ式無線イヤホン1の形状を図７で示すような状態
にし、次に、左鎖骨当て部40を第三ヒンジ52の箇所で可動させ、右鎖骨当て部41を
第四ヒンジ53の箇所で可動させ、肩乗せ式無線イヤホン1の形状を図１で示すような
状態にする。その状態の肩乗せ式イヤホン1を、左鎖骨当て部40と右鎖骨当て部41
の間に首が来るように、首の後ろから前に出していく。その後、左鎖骨当て部40を前
記使用者の左鎖骨付近に、右鎖骨当て部41を前記使用者の右鎖骨付近に乗せ、左肩乗
せ部20を前記使用者の左肩に、右肩乗せ部21を前記使用者の右肩に乗せ、首当て部
10を前記使用者の首後部に当てて使用者との装着を行い、左耳用ユニット80を前記
使用者の左耳に、右耳用ユニット81を前記使用者の右耳に装着して、再生装置と無線
接続し使用する。
【００４８】
以上、添付図面を参照しながら本発明の好適な実施形態について詳細に説明したが、
本発明はかかる例に限定されないことは言うまでもない。本発明の属する技術の分野
における通常の知識を有する者であれば、特許請求の範囲に記載された技術的思想の
範疇内において、各種の変更例または修正例に想到し得ることは明らかであり、これ
らについても当然に本発明の技術的範囲に属するものと了解される。
【００４９】
本発明によれば、首当て部にバッテリーを組み込む構造にする事で、耳や頭に感じ
ていた負担を両肩に分散する事が出来る。これにより、大容量のバッテリーを組み込
んだ場合に耳や頭で感じていた負担を軽減する事ができ、長時間の使用にストレスを
感じる事無く使用出来るようになる。また、可動可能な連結手段を使用する事でサイ
ズをコンパクト化する事ができ、持ち運びの不便さも解消する事が出来る。
【図１】
2015136024.tif 000003
【図２】
2015136024.tif 000004
【図３】
2015136024.tif 000005
【図４】
2015136024.tif 000006
【図５】
2015136024.tif 000007
【図６】
2015136024.tif 000008
【図７】
2015136024.tif 000009
【図８】
2015136024.tif 000010
【図９】
2015136024.tif 000011
【図１０】
2015136024.tif 000012
【図１１】
2015136024.tif 000013